(57)【特許請求の範囲】
【請求項１】
各段毎に飼育動物を収容し、清浄空気を流入せしめるラック(２)を有し、飼育室(４)内に１以上配設される実験用動物飼育装置に於いて、
監視されるべき動物が収容可能で、飼育室(４)内に流入された清浄空気を遮断する遮蔽扉(30)を具えるとともに、ラック(２)の各段に収容された動物を通過した空気のみが流入するモニター室(３)を設け、該モニター室(３)とラック(２)との間の空気の流路上には、ラック(２)の各段に収容された動物の体温により暖められた空気を飼育室(４)の室温近傍まで冷やす冷却手段が設けられたことを特徴とする実験用動物飼育装置。
【請求項２】
飼育装置(１)は飼育室(４)の側壁(48)から離れて設けられ、ラック(２)内の動物により暖められた空気は、飼育装置(１)内に開設された排気室(５)を流れ、
冷却手段は、熱伝導性のある材質から形成され側壁(48)に対向した排気室(５)の後壁(12)と、該後壁(12)と側壁(48)との間に設けられ、飼育室(４)内に流入する清浄空気が通過する隙間(13)とによって形成された請求項１に記載の実験用動物飼育装置。
【請求項３】
排気室(５)は、後壁(12)側の第１室(51)と、ラック(２)側の第２室(52)に仕切られ、隙間(13)を流れる清浄空気により冷却された第１室(51)の空気がモニター室(３)に流入する請求項２に記載の実験用動物飼育装置。
【請求項４】
ラック(２)内の動物により暖められた空気は、飼育装置(１)内に開設された排気室(５)を流れ、冷却手段は、排気室(５)内に設けられて、流入する空気を室温近傍にまで冷やす冷却パネル(84)により構成された請求項１に記載の実験用動物飼育装置。
【請求項５】
排気室(５)は、モニター室(３)に流入する空気が流れる第１室(51)と、飼育室(４)の外部に排出する空気が流れる第２室(52)に仕切られて、第１室(51)内に冷却パネル(84)が設けられた請求項４に記載の実験用動物飼育装置。
【請求項６】
モニター室(３)とラック(２)間の流路上には、飼育室(４)の外部との間で空気を給排気する複数のダクト(６)(60)を具えたフィルタ箱(９)が設けられ、冷却手段は、フィルタ箱(９)内に設けられ、空気を室温近傍にまで冷やす冷却パネル(84)により構成された請求項１に記載の実験用動物飼育装置。
【請求項７】
フィルタ箱(９)は、モニター室(３)に流入する空気が流れる第１室(91)と、飼育室(４)の外部に排出する空気が流れる第２室(92)に仕切られて、第１室(91)内に冷却パネル(84)が設けられた請求項６に記載の実験用動物飼育装置。
【発明の詳細な説明】
【０００１】
【発明の属する技術分野】
本発明は、マウス、ラット、モルモット、うさぎ、サル等の実験用の小動物を大量に飼育する装置に関する。
【０００２】
【従来の技術】
図１２は、出願人が以前から実施している小動物飼育装置を飼育室(４)内に配設した状態を示す図である(実公平３−１３１７５号参照)。以下の記載では、飼育装置の飼育室(４)の通路側に向いている方を前方、反対側を後方とする。
飼育室(４)は観察者が出入可能な扉(44)を有する。飼育室(４)内の両側には、複数の飼育装置(１)(１)が配設されており、各飼育装置(１)はラック(２)を具える。ここで、ラック(２)とはマウス等の実験用動物が収容されるケージ(７)が配設される棚を縦に数段積み重ねたもの全体を指す。ラック(２)の前面は、多数の流通孔(21)を開設した前板(20)により覆われ、飼育装置(１)の前面からケージ(７)内へ空気を流入させる。
【０００３】
飼育室(４)の通路上に於いて、天井の中央部には、外部からの新鮮空気を飼育室(４)内に取り入れる為の給気口(40)が開設され、該給気口(40)の両側でラック(２)の上側には、排気口(46)が開設されている。飼育装置(１)の前面と、飼育室(４)の天井及び床面の間は仕切板(47)(47)にて仕切られ、飼育室(４)内は、飼育装置(１)の前方である給気側空間と飼育装置(１)の後方である排気側空間に区画される。
給気口(40)からの新鮮な空気は、飼育室(４)の中央部に供給され、流通孔(21)を通って、ラック(２)に入る。ラック(２)からの排気は、ラック(２)の後板に開設された貫通孔(図示せず)を通って、排気口(46)に抜ける。
【０００４】
然るに、飼育室(４)には、実験用動物の状態を確かめる為に、観察者が入る。このとき観察者自身又は衣服、物等により、外部から感染菌が飼育室(４)内に持ち込まれ、実験用動物に空気又は接触感染してしまうことがある。この場合、動物が感染しているかどうかは、各ラック(２)内の任意のケージ(７)を抜き取って検査していた。
しかし、従来の飼育装置では、全ての飼育装置内の動物が、飼育室(４)内の同じ空気を呼吸しているから、感染した動物を偶然に発見できても、各飼育装置(１)毎の感染状況まではわからない。換言すれば、飼育装置(１)毎に感染動物の有無を見分けることはできなかった。このため、感染した動物を発見すると、全ての飼育装置(１)内の動物を検査する等の必要があり、手間を要した。
【０００５】
かかる問題に鑑みて、出願人は図３に示すように、監視されるべき動物が収容され、ラックの各段に収容された動物を通過した空気のみが流入するモニター室(３)を設けた飼育装置を提案している(特願平８−１５２１５６号、この発明は未公開である)。モニター室(３)には、ラック(２)の各段に収容された動物を通過した空気のみが流入するから、モニター室(３)内の動物はラック(２)に収納された動物に比して感染しやすくなる。従って、該動物の体調を監視することで、飼育装置(１)毎の感染動物の存在を素速く発見できる。
【０００６】
【発明が解決しようとする課題】
上記モニター室(３)を設けた監視装置は、何れの飼育装置に感染動物が存在しているかを、素速く発見する点では効果がある。
しかし、モニター室(３)に流入する空気は、ラック(２)の各段に収容された動物を通過しているから、該空気はラック(２)内の動物の体温で暖められている。従って、モニター室内に収容された動物は、感染菌以外に、流入する空気が暖かいことに起因して体調を損ねる虞れがある。この場合、モニター室内の動物が体調を損ねても、感染菌で体調を損ねたのか否かが判らなくなる。
本発明の目的は、モニター室内の動物が感染菌以外の原因により、体調を損ねることを防ぐことにある。
【０００７】
【課題を解決する為の手段】
各飼育装置は、監視されるべき動物が収容可能で、飼育室(４)内に流入された清浄空気を遮断する遮蔽扉(30)を具えるとともに、ラック(２)の各段に収容された動物を通過した空気のみが流入するモニター室(３)を設け、該モニター室(３)とラック(２)との間の空気の流路上には、ラック(２)の各段に収容された動物の体温により暖められた空気を飼育室(４)の室温近傍まで冷やす冷却手段が設けられている。
【０００８】
【作用及び効果】
モニター室(３)に流入する空気は、冷却手段により、室温近傍にまで冷やされる。モニター室(３)内の動物は、流入する空気の温度が高いことに起因して、体調を損ねる虞れはなく、感染菌によってのみ体調を損ねる。従って、モニター室(３)の飼育動物を観察するだけで、飼育装置(１)毎の感染状況を判別せんとする効果を更に高めることができる。
【０００９】
【発明の実施の形態】
(第１実施例)
以下、本発明の一例につき、図を用いて説明する。
図１は、飼育装置(１)が配設される飼育室(４)の平面図であり、図２は飼育装置(１)の左側面図である。飼育室(４)は室内の長手方向の中央部が通路となり、通路の両側に１以上の飼育装置(１)(１)が配設される。飼育装置(１)の後壁(12)は、熱伝導率の良い板材によって形成されており、後壁(12)と飼育室(４)の側壁(48)との間には、通気用の隙間(13)が形成されている。
飼育室(４)の天井には、通路に向けて清浄空気を流入する給気口(40)が設けられ、該給気口(40)には飼育室(４)の外側からエアコンディショナ(41)、ファン(42)、フィルタ(43)を介して新鮮な清浄空気が供給される。該清浄空気は、前記隙間(13)を通過する。
【００１０】
図３は飼育装置(１)の正面図、図４は図３をＡ−Ａ線で破断して示した図である。飼育される動物(24)は、図４にて破線で示す。
飼育装置(１)は、キャスタ(11)によって床面に載置され、ラック(２)を具える。ここで、ラック(２)は従来と同様に、マウス等の実験用動物が収容されるケージ(７)が配設される棚を縦に数段積み重ねたもの全体を指す。ラック(２)の天板上に、監視対象となる動物(24a)が収納されるモニター室(３)を具え、ラック(２)とモニター室(３)の後側に、ラック(２)を通過した空気が流れ込む排気室(５)を具えている。モニター室(３)の天板は、後方に延びて、排気室(５)の上面を覆っている。飼育装置(１)の上端部に於いて、モニター室(３)の上方には、後記するように、排気室(５)及びモニター室(３)からの排気が流れ込む空間(10)が形成されている。該空間(10)に流入した空気は、飼育装置(１)の上面に設けられたダクト(６)を通って、飼育室(４)外に排出される。
【００１１】
ラック(２)は、従来と同様に、各段毎に飼育動物を収容するケージ(７)を具え、ラック(２)の各段前面は複数の流通孔(21)を横並びに開設した前板(20)により覆われる。また、後面は貫通孔(23)を開設した後板(22)により覆われる。
ラック(２)の各段の上面には、前板(20)に接近して気流調整板(70)が揺動自在に設けられ、該気流調整板(70)の下端は流通孔(21)よりも低位置にある。流通孔(21)からの空気は、該気流調整板(70)により強制的にケージ(７)の下部に案内される。流通孔(21)から流入する気流の勢いが強いときは、気流調整板(70)が後方に押されて傾き、ケージ(７)内の動物(24)に当る空気量を調節する。
【００１２】
モニター室(３)は、前面を透明な遮蔽扉(30)で塞ぎ、これによりモニター室(３)内への新鮮な清浄空気の流入を防ぐ。モニター室(３)の後板(22)の上端部には、送風孔(32)が開設され、排気室(５)からの排気の一部は、該送風孔(32)を通って、モニター室(３)内に流れ込む。モニター室(３)の上面には、ラック(２)と同様に気流調整板(70)が揺動自在に設けられ、モニター室(３)の天板上で、気流調整板(70)の前方には、空間(10)に繋がる排気孔(34)が開設されている。
排気室(５)の上面を覆うモニター室(３)の天板には、複数のバイパス孔(33)(33)が開設され、モニター室(３)に流れ込まない排気室(５)の空気の一部は該バイパス孔(33)(33)を通過して、空間(10)内に入る。
飼育室(４)内に供給された清浄空気は、２手に分れて、一方は飼育装置(１)の後壁(12)と飼育室(４)の側壁(48)との間の隙間(13)に流れ込む。他方の清浄空気は流通孔(21)からラック(２)内に流入し、ケージ(７)内の動物に触れる。ラック(２)からの排気は、後板(22)の貫通孔(23)を通って、排気室(５)内に流れ込み、一部は送風孔(32)から、モニター室(３)に流れ込む。残りの排気は、バイパス孔(33)を通って、空間(10)に入る。
【００１３】
ラック(２)からの排気は、モニター室(３)に入るから、ラック(２)内に感染した動物が存在していると、モニター室(３)内の動物は感染する可能性が高い。従って、モニター室(３)内の動物を監視すれば、該モニター室(３)が設けられたラック(２)内に感染動物がいるか否かが直ちに判る。換言すれば、飼育装置(１)毎に感染状況の調査が容易にでき、特に飼育室(４)内の飼育装置(１)の数が多い場合にその効果が大きい。
モニター室(３)内に感染動物がいれば、該飼育装置(１)内のラック(２)に収容された動物を調べることで、感染動物の増加を防ぐことができる。モニター室(３)の遮蔽扉(30)は透明であるから、モニター室(３)内の動物の様子は外から目視できる。
【００１４】
排気室(５)内を通過する空気は、ラック(２)内の動物に触れているから、動物の体温により暖められ、温度が高くなっている。該空気をそのままモニター室(３)に流入させると、モニター室(３)内の動物が、温度が高いことに起因して、体調を損ねる虞れがある。即ち、感染菌以外の原因でモニター室(３)内の動物が体調を損ね、飼育装置(１)内の感染動物の有無が正しく判別できない虞れがある。  そこで、本例に係わる飼育装置(１)では、排気室(５)内を通過する空気を、動物の健康に影響を与えない程度にまで冷却することを目的とする。具体的には、飼育装置(１)の後壁(12)と、飼育室(４)の側壁(48)間の隙間(13)に、流れ込む清浄空気によって、排気室(５)内の空気を空冷する。
【００１５】
飼育装置(１)の後壁(12)は熱伝導率の良い材質で形成されているから、排気室(５)内の空気が含む熱は、隙間(13)を流れる清浄空気に伝わり、ラック(２)からの空気が排気室(５)を通過するに従って、排気室(５)内の空気は室温と同程度まで下がる。また、排気室(５)内を通過する空気は清浄空気により冷やされるので、清浄空気以下の温度となることはない。
従って、モニター室(３)内の動物には、室温とほぼ同じ空気が供給されるので、感染菌以外の原因により、動物の体調を損ねる虞れを防ぐことができる。尚、動物が体調を損ねる感染菌以外の原因としては、温度の他にモニター室(３)に流れ込む空気の風量が挙げられるが、該風量調節の機構は、出願人が前記特願平８−１５２１５６号で明らかにしており、詳細な記載を省略する。
【００１６】
飼育装置(１)内で飼育される動物としては、マウス、ラット、モルモット、うさぎ等が挙げられ、かかる飼育動物が感染する病気としては、ＨＶＪ、ＭＨＶ、マイコプラズマ等がある。このような病気を発見する手段には、前記のようなモニター室(３)外部からの目視による臨床症状観察の他に、培養血清検査及び虫卵検査があるが、これは周知技術である。
また、動物の体調を損ねない温度としては、モニター室(３)に流れ込む空気の風量によっても異なるが、収容される動物がウサギ、サル、イヌ、ネコの場合は、凡そ１８℃〜２８℃であり、マウス、ラット、ハムスター、モルモットの場合は、凡そ２０℃〜２６℃である。
【００１７】
(第２実施例)
本例に於いては、図５に示すように、排気室(５)内に仕切り壁(50)を立設し、飼育室(４)の側壁(48)側の第１室(51)と、ラック(２)側の第２室(52)とに分ける。
仕切り壁(50)の下端部には、透孔(57)が開設され、ラック(２)からの空気は、透孔(57)を通って第１室(51)内へ進入する。
図６は、図５に於いてモニター室(３)を破断した平面図であり、図５は図６に於いて、ＢーＢ線で破断した側面図である。説明の便宜上、図６に於いて、飼育動物の記載は省略する。また、図７は図５をＣーＣ線で破断した側面図である。
仕切り壁(50)の上端部には、第１室(51)と第２室(52)を覆う天板(53)が設けられ、該天板(53)の中央部で、第１室(51)に対応した箇所には、第１室(51)からの空気の流入を許す窓孔(59)が開設されている。窓孔(59)の両側で天板(53)上には、遮蔽壁(58)(58)が立設され、後記するように、第１室(51)からの空気と、第２室(52)からの空気の混入を防ぐ。
【００１８】
遮蔽壁(58)で閉塞された排気室(５)の中央部上面には、図５に示すように、中間板(55)が設けられ、該中間板(55)と天板(53)との間には、第１室(51)からの空気のモニター室(３)内への流入を許す送風孔(32)が後板(22)上に開設されている。
第１室(51)を上昇した空気は、中間板(55)と天板(53)に遮られて、モニター室(３)のみに流入する。
遮蔽壁(58)(58)の外側領域では、図７に示すように、第２室(52)を覆う天板(53)上に、開口(54)(54)が開設され、第２室(52)を上昇した空気は、開口(54)(54)及び前記バイパス孔(33)(33)を通過して、空間(10)に逃げる。第１室(51)の空気は、天板(53)で上昇を遮られる。即ち、第１室(51)の空気は、遮蔽壁(58)の外側領域では上昇を遮られ、遮蔽壁(58)で閉塞された領域内に位置する窓孔(59)のみを通過する。
第１室(51)の後壁(12)は前記と同様に、熱伝導率の良い材質から形成され、後壁(12)と飼育室(４)の側壁(48)との間には、隙間(13)が設けられている。
【００１９】
第１室(51)内を上昇する空気、即ちラック(２)内の動物により暖められた空気は、隙間(13)を下降する清浄空気により冷却される。冷却された空気は、窓孔(59)を通り、送風孔(32)からモニター室(３)内に流入する。
第２室(52)内を上昇した空気は、前記の如く、天板(53)の開口(54)及びバイパス孔(33)を通過して、モニター室(３)上部の空間(10)に流れ込む。遮蔽壁(58)(58)が立設されているため、遮蔽板(58)の外側領域で、第２室(52)を通過した空気が、第１室(51)で冷却された空気と混じることはない。
【００２０】
本例に係わる装置についても、モニター室(３)に流れ込む空気を冷却するが、排気室(５)を仕切らない第１実施例の装置よりも、空冷効果が高い。即ち、ラック(２)からの空気は、仕切り壁(50)の下端部に開設された透孔(57)を通って、第１室(51)内を上昇し、モニター室(３)内に入るから、隙間(13)を通る清浄空気により冷却される距離が長い。図４に示す構成では、ラック(２)の各段からの空気は直接排気室(５)内に入るから、冷却される距離は必ずしも長くなく、本例に係わる装置の方が空冷効果が高いのである。
また、本例に係わる装置では、排気室(５)を仕切り壁(50)で区分けしているから、仕切り壁(50)から後壁(12)までの間隔を短く設定することができる。従って、仕切り壁(50)に沿って上昇する第１室(51)内の空気も、十分冷却される。尚、第１室(51)内の空気は、清浄空気の温度以下に冷却されることがないのは、前記と同じである。
【００２１】
(第３実施例)
図８は、排気を加速する為にファンを用いた飼育装置(１)の正面図であり、図９は図８をＢ−Ｂ線で切断した図である。本例では、ラック(２)の最上段の一部にモニター室(３)を設けている。モニター室(３)の天板上で気流調整板(70)よりやや後方には第１ダクト(６)が、モニター室(３)の天板の前端部には第２ダクト(60)が夫々設けられている。第１、第２ダクト(６)(60)は排気室(５)の上側に設けられたフィルタ箱(９)に繋がり、フィルタ箱(９)の上面に設けられた排気管(61)の先端は飼育室(４)の外方に臨出する。排気室(５)とフィルタ箱(９)の間には、排気が通過する通過孔(36)(36)が設けられている。モニター室(３)内の吸排気は、第１、第２ダクト(６)(60)により行なわれ、排気室(５)から排気が直接流れ込むことはない。
【００２２】
第１ダクト(６)上には、ファン(８)が設けられて、第１ダクト(６)からの排気を加速する。排気室(５)からの排気は、通過孔(36)(36)を通って、フィルタ箱(９)内に流入し、一部は第２ダクト(60)からモニター室(３)内に流れる。残りの排気は、排気管(61)に流れる。モニター室(３)内の動物には、第２ダクト(60)から流れる排気しか当らない。
モニター室(３)を通過した排気は、第１ダクト(６)を通って、フィルタ箱(９)内に戻り、該排気は、フィルタ箱(９)内で濾過された後に、排気管(61)から飼育室(４)の外側に放出される。第１ダクト(６)には、ファン(８)が設けられているので、自然対流により排気を行なう飼育装置に比して、排気が加速され、排気がスムーズに行なわれる。
【００２３】
排気室(５)には、排気室(５)の空気を冷やすための冷却機(83)が配備される。
冷却機(83)は、吸熱作用を行なう冷却パネル(84)と、冷却パネル(84)と連結管(86)(86)で接続された冷却機本体(85)を具え、冷却パネル(84)が排気室(５)の内側に、冷却機本体(85)が排気室(５)の外側に夫々位置する。
冷却機本体(85)及び冷却パネル(84)の構成には種々のものが提案されるが、一例として図１０に示すものがある。冷却機本体(85)内には、圧縮機(87)、凝縮機(88)、膨張弁(89)が周知の如く設けられ、凝縮機(88)内には圧縮されて液状となった冷媒が入っている。冷媒は凝縮機(88)から膨張弁(89)に運ばれて圧縮状態を解除され、冷却パネル(84)内を流れる。冷却パネル(84)内を流れる冷媒は、排気室(５)内の熱を吸収して蒸発し、圧縮機(87)に入る。圧縮機(87)で加熱蒸気となった冷媒は、凝縮機(88)で放熱し、液状に戻る。
【００２４】
本例に於ける装置に於いては、冷却機(83)によって、モニター室(３)に流れる空気を冷却しており、前記の空冷式の装置に比して、冷却効率が高い。尚、冷却パネル(84)には、排気室(５)の空気が清浄空気以下の気温にならないように、圧縮機(87)に繋がる温度センサが設けられているが、詳細な記載を省略する。
また、図４に仮想線で示すように、給排気を加速するファンを設けていない飼育装置(１)の排気室(５)内に冷却パネル(84)を設けても、或いは図９に仮想線で示すように、冷却パネル(84)をフィルタ箱(９)内に設置してもよい。
【００２５】
モニター室(３)内の気流の向きは、上記と逆でもよい。即ち、排気室(５)からの排気は、一部がファン(８)により第１ダクト(６)を介して、モニター室(３)内に流れ込み、ケージ(７)内の動物に触れた後に、第２ダクト(60)を通って、フィルタ箱(９)に戻る構成でもよい。この場合、ファン(８)の送風方向は、上記と逆になるのは言うまでもない。また、ファン(８)は第１ダクト(６)上に設けられているとしたが、第２ダクト(60)上に設けられていてもよい。
【００２６】
(第４実施例)
本例に係わる装置は、図１１に示すように、フィルタ箱(９)内に仕切り壁(90)を設け、排気室(５)からの空気が流れ込む第２ダクト(60)側の第１室(91)と、モニター室(３)内を通過した空気を排気する第１ダクト(６)側の第２室(92)とに区分けする。第１室(91)内に冷却機(83)の冷却パネル(84)を設け、モニター室(３)内に流れ込む空気を冷却する。
このように、フィルタ箱(９)内を仕切り、モニター室(３)内に流れ込む空気のみを冷却することにより、冷却効率が向上する。即ち、フィルタ箱(９)内の一部空間である第１室(91)のみを冷却するから、冷却すべき空間は小さくて済み、室内温度近傍まで冷却する時間を短縮し、冷却機(83)の消費電力等を節約できる。
尚、第２ダクト(60)と第１ダクト(６)の空気の流路を逆にし、第２室(92)内に冷却パネル(84)を設けてもよい。また、第２実施例で示したように、排気室(５)を第１室(51)と第２室(52)に仕切り、第１室(51)のみに冷却パネル(84)を設けてもよい。
【００２７】
出願人は、耐腐食性に鑑みて、ラック(２)の周壁に、ステンレス材を用いることを発案しているが、他の材質でもよいのは言うまでもない。また、斯種装置には、飲水用の給水タンクが設けられるのが一般的であるが、詳細な記載は省略する。
【００２８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】飼育装置が配設される飼育室の平面図である。
【図２】同上の左側面図である。
【図３】飼育装置の正面図である。
【図４】図３をＡ−Ａ線で破断した断面図である。
【図５】別の飼育装置の縦断面図である。
【図６】図５に示す飼育装置のモニター室の断面平面図である。
【図７】図６の飼育装置をＣ−Ｃ線で破断した側面図である。
【図８】別の飼育装置の正面図である。
【図９】他の飼育装置の縦断面図である。
【図１０】冷却機の内部ブロック図である。
【図１１】他の飼育装置の縦断面図である。
【図１２】従来の飼育装置を飼育室内に配設した状態を示す斜視図である。
【符号の説明】
(２)  ラック
(３)  モニター室
(４)  飼育室
(５)  排気室
(９)  フィルタ箱
(12)  後壁
(13)  隙間
(30)  遮蔽扉
【図１】
0003667891.tif 000002
【図２】
0003667891.tif 000003
【図３】
0003667891.tif 000004
【図４】
0003667891.tif 000005
【図５】
0003667891.tif 000006
【図６】
0003667891.tif 000007
【図７】
0003667891.tif 000008
【図８】
0003667891.tif 000009
【図９】
0003667891.tif 000010
【図１０】
0003667891.tif 000011
【図１１】
0003667891.tif 000012
【図１２】
0003667891.tif 000013